(57)【要約】      （修正有）【目的】シート型マッサージ機を載置した状態でも、椅子としての掛け心地が損なわれない、シート型マッサージ機用椅子を提供する。【構成】座部１０と背凭れ部材１１とひじ掛け部材を備えた椅子において、背凭れ部材の前方に、その下端を支点に揺動すると共に弾性材を張設した第二背凭れ部材１３を備え、背凭れ部材と第二背凭れ部材との間にシート型マッサージ機１を設置するための隙間を設ける間隙手段を設けた。また、座部と背凭れ部材とひじ掛け部材を備えた椅子において、背凭れ部材を、その下端を支点として揺動自在に設け、背凭れ部材の前方に、弾性材を張設した第二背凭れ部材を備え、背凭れ部材と第二背凭れ部材との間にシート型マッサージ機を載置するための隙間を設ける間隙手段を設けた。【選択図】図１
0003214123.tif 000002
【実用新案登録請求の範囲】
【請求項１】
座部と背凭れ部材とひじ掛け部材を備えた椅子であって、
背凭れ部材の前方に、その下端を支点に揺動すると共に、弾性材を張設した、第二背凭れ部材を備えたこと、
背凭れ部材と第二背凭れ部材との間に隙間を設ける間隙手段を設けたこと、
を特徴とするシート型マッサージ機用椅子。
【請求項２】
座部と背凭れ部材とひじ掛け部材を備えた椅子であって、
背凭れ部材を、その下端を支点として揺動自在に設けたこと、
背凭れ部材の前方に、弾性材を張設した、第二背凭れ部材を備えたこと、
背凭れ部材と第二背凭れ部材との間に隙間を設ける間隙手段を設けたこと、
を特徴とするシート型マッサージ機用椅子。
【請求項３】
間隙手段が背凭れ部材と第二背凭れ部材との間に介在された棒体であり、当該棒体の一端を第二背凭れ部材に枢着し、他方端近傍に切欠きを設け、背凭れ部材に切欠きに嵌合可能な突起を設けた請求項１に記載のシート型マッサージ機用椅子。
【請求項４】
背凭れ部材をひじ掛け部材に対して揺動自在に設けたこと、
背凭れ部材と、一対のひじ掛け部材を固定するためのつなぎ部材との間にダンパーを介在させたこと、
を特徴とする請求項３に記載のシート型マッサージ機用椅子。
【請求項５】
間隙手段が、
座部の側面に設けられたひじ掛け部材に突起辺を設けたこと、
第二背凭れ部材に突起辺に係止可能な軸を突設したこと、
第二背凭れ部材の下部に設けた縦長の孔部内に座部に設けた軸を緩挿することで、第二背凭れ部材材が座部に対して上下方向に移動可能にしたこと、
により構成される請求項１に記載のシート型マッサージ用椅子。
【請求項６】
間隙手段が、
ひじ掛け部材の側辺に突起部を設けたこと、
コ字状のハンドル杆を背凭れ部材に対して回動自在に取り付けると共に、該ハンドル杆に突起部に対して係脱可能な係止凸部を設けたこと、
により構成される請求項２に記載のシート型マッサージ用椅子。
【考案の詳細な説明】
【技術分野】
【０００１】
本考案は、シート型マッサージ機を取り付け使用することに好適な椅子に関する。
【背景技術】
【０００２】
いわゆるシート型マッサージ機は、椅子やソファに載置して利用するものであり、利用者の首や背中、腰を施療できるようにするため、マッサージ動作部が内蔵されている。
【０００３】
内蔵されたマッサージ動作部はマッサージ装置により駆動されるものであり、モミ動作や叩き動作を行うものである。更には、マッサージ装置が歯車機構やその他のリンク機構により昇降運動を行うことに伴い、マッサージ動作部も上下運動可能に構成されている。
【０００４】
上記のように構成されるシート型マッサージ機は、その運転停止時においてマッサージ動作部が上下運動の範囲の最上部で停止し、当該マッサージ動作部の先端が突出した状態となっていることが通常である。
【０００５】
特許文献１には、マッサージ手段が設けられた背もたれ部に簡便に配置することが可能な当て板部材を設けて、マッサージ手段を使用しないときの座り心地を向上すると共に、マッサージ手段を使用する際、当て板部材を簡単に背もたれ部から取り除くことを可能としたマッサージ椅子が開示されている。
【０００６】
特許文献２には、背凭れ部材の前面にマッサージ機の揉み玉が上下動する開口が設けられてなるマッサージ椅子において、背凭れ部材に対して前面から、上記開口を着脱自在にカバーする背当て部材が設けられたマッサージ椅子が開示されている。
【先行技術文献】
【特許文献】
【０００７】
【特許文献１】特開２００５−１６０８２４号公報
【特許文献２】特開２００１−２１２１９４号公報
【考案の開示】
【考案が解決しようとする課題】
【０００８】
上記のように構成されるシート型マッサージ機は、施療を受ける場合は本格的で多彩な施療を受けることができる。しかし、施療を受けないときには、マッサージ動作部が突出していることや、背中や腰部分を充分に支える構造でないため、背当たり感は良好と云えない。
【０００９】
そこで、シート型マッサージ機を使用しないときは、椅子から退けておくことが望まれる。ところがシート型マッサージ機の重量は、軽量タイプで４キログラム前後、重い機種となると７キログラム程度と、手軽に椅子から退けたりあるいは設置したりすることは困難である。
【００１０】
それゆえ、シート型マッサージ機を椅子やソファに載置したままになることが多く、一人分の席を占領することになる。また、椅子やソファから退けておくにしても、置き場所に相応なスペースが必要で、インテリアの美観上からも望ましいことではない。
【００１１】
しかるに、マッサージを受ける時間は限られていて、椅子を椅子として使用することが圧倒的に長い。それゆえ、シート型マッサージ機を椅子に載置したままで、椅子としての掛け心地・良好な背当たり感が損なわれないことが望まれる。
【００１２】
そこで、本考案はシート型マッサージ機を載置した状態でも、椅子としての掛け心地が損なわれない、シート型マッサージ機用椅子を提供することを目的とする。
【課題を解決するための手段】
【００１３】
上記課題を解決する本考案の構成は、以下の通りである。  
【００１４】
（１）  請求項１に記載の考案は、座部と背凭れ部材とひじ掛け部材を備えた椅子において、背凭れ部材の前方に、その下端を支点に揺動すると共に弾性材を張設した第二背凭れ部材を備え、背凭れ部材と第二背凭れ部材との間に隙間を設ける間隙手段を設けて構成した。
【００１５】
（２）  請求項２に記載の考案は、座部と背凭れ部材とひじ掛け部材を備えた椅子において、背凭れ部材を、その下端を支点として揺動自在に設け、背凭れ部材の前方に、弾性材を張設した第二背凭れ部材を備え、背凭れ部材と第二背凭れ部材との間に隙間を設ける間隙手段を設けて構成した。
【００１６】
（３）  請求項３に記載の考案は、請求項１に記載のシート型マッサージ機用椅子において、間隙手段が背凭れ部材と第二背凭れ部材との間に介在された棒体であり、当該棒体の一端を第二背凭れ部材に枢着し、他方端近傍に切欠きを設け、背凭れ部材に切欠きに嵌合可能な突起を設けて構成した。
【００１７】
（４）  請求項４に記載の考案は、請求項３に記載のシート型マッサージ機用椅子において、背凭れ部材をひじ掛け部材に対して揺動自在に設けると共に、背凭れ部材と、一対のひじ掛け部材を固定するためのつなぎ部材との間にダンパーを介在させて構成した。
【００１８】
（５）  請求項５に記載の考案は、請求項１に記載のシート型マッサージ機用椅子において、間隙手段を、座部の側面に設けられたひじ掛け部材に突起辺を設けたこと、第二背凭れ部材に突起辺に係止可能な軸を突設したこと、第二背凭れ部材の下部に設けた縦長の孔部内に座部に設けた軸を緩挿することで、第二背凭れ部材が座部に対して上下方向に移動可能にしたこと、以上の三手段により構成した。
【００１９】
（６）  請求項６に記載の考案は、請求項２に記載のシート型マッサージ機用椅子において、間隙手段を、ひじ掛け部材の側辺に突起部を設けたこと、コ字状のハンドル杆を背凭れ部材に対して回動自在に取り付けると共に、該ハンドル杆に突起部に対して係脱可能な係止凸部を設けたこと、以上の二手段により構成した。
【考案の効果】
【００２０】
上記のように構成される本考案が、如何に作用して課題を解決するかを概説する。
【００２１】
本考案に係るシート型マッサージ機用椅子は、背凭れ部材と背凭れ部材の前方に設けられる第二背凭れ部材との間に間隙を設けてあり、この間隙にシート型マッサージ機を装備して使用するものである。
【００２２】
利用者がマッサージを受ける場合には、請求項３乃至請求項５にいずれかに記載の考案では、第二背凭れ部材を揺動させることで、当該第二背凭れ部材をシート型マッサージ機に当接させる。第二背凭れ部材の背凭れ面には弾性材が張設してあることから、マッサージ動作部の施術を受けることが可能となるのである。
【００２３】
一方、請求項２又は請求項６に記載の考案では、凭れ部材を揺動させることで、第二背凭れ部材をシート型マッサージ機に当接させることが可能となる。第二背凭れ部材の背凭れ面には弾性材が張設してあることから、マッサージ動作部の施術を受けることが可能となるのである。
【００２４】
他方で、利用者がマッサージを受けずに椅子として利用する場合は、請求項３乃至請求項５にいずれかに記載の考案では第二背凭れ部材を揺動させることで、一方請求項２又は請求項６に記載の考案では凭れ部材を揺動させることで、突出したマッサージ動作部が利用者の背中に当たらない位置まで移動させれば、良好な背当たり感を得ることが可能となる。つまりは、シート型マッサージ機を椅子に載置したままで、椅子としての掛け心地・良好な背当たり感が損なわれないことになる。
【００２５】
請求項４に記載の考案は、背凭れ部材をひじ掛け部材に対して揺動自在に設けると共に、背凭れ部材をダンパーを用いてリクライニング可能に設けてある。かかる構造とすることで背凭れ部材を起倒させることが可能となり、利用者が身体を預ける角度を任意に設定可能となり、より効果的なマッサージや良好な座り心地を得ることが可能となるものである。
【図面の簡単な説明】
【００２６】
【図１】本考案の斜視図
【図２】マッサージ可能な状態を示す説明図
【図３】椅子としての利用時を示す説明図
【図４】背凭れ部材を倒し、且つ、マッサージ可能な状態を示す説明図
【図５】背凭れ部材を倒し、且つ、椅子としての利用時を示す説明図
【図６】受け部材を示す説明図
【図７】マッサージ可能な状態を示す説明図
【図８】椅子としての利用可能な状態を示す説明図
【図９】請求項６記載の考案の施術状態における正面図
【図１０】請求項６記載の考案の椅子としての利用時の正面図
【図１１】間隙手段の概略構成図
【考案を実施するための形態】
【００２７】
以下、好ましい本考案の構成要素の実施形態につき、図面を参照しながら概説する。なお、本考案構成要素の実施形態は、下記の実施形態に何ら限定されることはなく、本考案の技術的範囲に属する限り、種々の形態を採りうる。なお、各図において説明の便宜上、Ｕは上方を、Ｄは下方を、Ｆは前方を、Ｂは後方を、Ｒは右方を、Ｌは左方を、夫々示している。
【００２８】
請求項３乃至請求項５にいずれかに記載の考案に係るシート型マッサージ機用椅子は、利用者の臀部を支持する座部、座部の後部に設けられた背凭れ部材、座部の両側部に設けられたひじ掛け部材及び背凭れ部材の前方にその下端を支点として揺動自在に設けられた第二背凭れ部材を主な構成要素とする。
【００２９】
図１乃至図３は請求項４記載のシート型マッサージ機用椅子を示すものである。座部１０は表面を覆う布や革の下に、芯材と少なくとも当該芯材の上面を覆うクッション材とを備える。座部１０は、座板３５の上に載置される。この座板３５は方形の板材であり、その左右両側面に存する一対のひじ掛け部材１２，１２により固定支持されるものである。
【００３０】
一対のひじ掛け部材１２，１２間には、その前方において板状のつなぎ部材１４、後方において板状のつなぎ部材１５を介在させてあり、つなぎ部材１４、１５それぞれの両端がひじ掛け部材１２に固定されている。
【００３１】
背凭れ部材１１は座部１０の後方に設けられた方形の板材である。請求項３に記載の考案では、背凭れ部材１１はひじ掛け部材１２に固定されているが、図示される請求項４に記載の考案では、背凭れ部材１１の左右両側面に設けられた軸１１ａ，１１ａがひじ掛け部材１２に差し込まれると共に、当該軸１１ａを中心に揺動自在に設けられている。
【００３２】
第二背凭れ部材１３は、略コ字状のフレーム１３ａに伸縮性を備えた布体である伸縮性のある弾性材１３ｂを張設したものである。
【００３３】
この第二背凭れ部材１３は、その下端を支点に揺動するよう構成されている。すなわち、フレーム１３ａの下端は座板３５に嵌め込まれた受け部材１６に差し込まれているが、受け部材１６は図６に示すように、その上部がその下部に比べて前後方向広幅なっており、それゆえ、フレーム１３ａは前後方向に揺動可能となるのである。つまりは、第二背凭れ部材１３は前後方向に揺動可能となるのである。
【００３４】
なお、受け部材１６は図６に示すように上面両端が水平方向に屈曲され鍔部１６ａが形成されている。この鍔部１６ａに形成された孔部１６ｂにボルト１７を嵌め込み、座板３５に設けられたナット１８にボルト１７をねじ込むことで、受け部材１６を座板３５に固定するものである。
【００３５】
間隙手段である棒体２０は、上面視略コ字状の棒材であり、その両端部で第二背凭れ部材１３に対して、軸２１を中心に揺動自在に枢着されている。棒体２０には切欠き２２が設けられており、この切欠き２２を背凭れ部材１１に設けた突起２３に嵌め込むことで第二背凭れ部材１３を支持するものである。
【００３６】
これにより図５に示すように背凭れ部材１１と第二背凭れ部材１３との間に間隙を設け椅子としての使用状態にし、あるいは図４に示すように間隙をなくしシート型マッサージ機１のもみ玉１ａが弾性材１３ｂに当接し、つまりはマッサージを受けることが可能な状態にすることが可能となる。なお、切欠き２２を複数設けることでシート型マッサージ機の厚さサイズに応じ、間隙の幅を調節できるように構成してもよい。
【００３７】
請求項４に記載の考案では、背凭れ部材１１とつなぎ部材１４との間にダンパー２３を介在させてある。このダンパー３４により背凭れ部材１１及び第二背凭れ部材１３を後方に倒し或いは前方に復帰させること、つまりはリクライニングさせることが可能となるものである。ダンパーとしてはガススプリング、オイルダンパー、エアダンパーなどを利用できる。
【００３８】
図７及び図８は請求項１又は請求項５に記載のシート型マッサージ機用椅子を示すものである。座部１９は表面を覆う布や革の下に、芯材と少なくとも当該芯材の上面を覆うクッション材とを備える。座部１９は方形の枠杆２４により下方から支持されるものである。
【００３９】
枠杆２４は、その前方において一対のひじ掛け部材２５，２５により支持固定され、その後方において、ひじ掛け部材２５，２５の間にかけ渡される連結杆２６により支持固定される。
【００４０】
背凭れ部材２８は座部１９の後方に設けられた略コ字状の杆部材である。その下端は枠間２４に固定されている。
【００４１】
第二背凭れ部材２７は、略コ字状のフレーム２９に伸縮性を備えた布体である伸縮性のある弾性材３０を張設したものである。
【００４２】
この第二背凭れ部材２７は、その下端を支点に揺動するよう構成されている。すなわちフレーム２９の両端部近傍には上下方向に縦長の孔部２９ａが設けられている。この孔部２９ａには枠杆２４に設けた軸３１が緩挿されており、軸を支点として揺動可能な構造となっている。
【００４３】
請求項５に記載の考案における間隙手段は、座部１９の側面に設けられたひじ掛け部材２５に突起辺３２を設けたこと、第二背凭れ部材２７に突起辺３２に係止可能な軸３３を突設したこと、孔部２９ａ内に座部１９に設けた軸３１を緩挿することで、第二背凭れ部材２７が座部１９に対して上下方向に移動可能にしたこと、以上の三手段により構成される。以下、詳述する。
【００４４】
図７は第二背凭れ部材２７と背凭れ部材２８との間に、間隙がない状態を示している。かかる状態では軸３３は突起辺３２に係止されておらず、第二背凭れ部材はシート型マッサージ機１に当接するまで後方に揺動することになる。
【００４５】
他方で図８は、第二背凭れ部材２７と背凭れ部材２８との間に、間隙がある状態を示している。突起辺３２により軸３３が係止された状態において、第二背凭れ部材２７の弾性材３０が、シート型マッサージ機１のもみ玉１ａに当接しない位置に来るよう係止辺３２及び軸３３は形成されており、第二背凭れ部材２７と背凭れ部材２８との間に間隙を形成することが可能となるのである。なお、図８に示される状態から、孔部２９ａ内を軸３１を下方に摺動させ、つまりは第二背凭れ部材２７を持ち上げることで軸３３の突起辺３２に対する係止状態解放し、軸３３を突起辺３２上を滑動させると、図７に示すマッサージを受けることが可能な状態に至るものである。
【００４６】
請求項２又は請求項６に記載の考案に係るシート型マッサージ機用椅子は、利用者の臀部を支持する座部、座部の後部に設けられその下端を支点として揺動自在に設けられた背凭れ部材、座部の両側部に設けられたひじ掛け部材及び背凭れ部材の前方に存する第二背凭れ部材を主な構成要素とする。
【００４７】
図９及び図１０は請求項６記載のシート型マッサージ機用椅子を示すものである。座部３６は表面を覆う布や革の下に、芯材と少なくとも当該芯材の上面を覆うクッション材とを備える。座部３６は、座板３７の上に載置される。この座板３７は方形の板材であり、その正面側及び背面側に存する一対のひじ掛け部材３８により固定支持されるものである。
【００４８】
一対のひじ掛け部材３８,３８間には、その前方において板状のつなぎ部材３９、後方において板状のつなぎ部材４０を介在させてあり、つなぎ部材１４、１５それぞれの両端がひじ掛け部材３８に固定されている。
【００４９】
背凭れ部材４１は座部３６の後方に設けられた方形の板材である。請求項６に記載の考案では、背凭れ部材４１がひじ掛け部材３８に対して揺動自在に設けられている。具体的には、背凭れ部４１の正面側及び背面側に設けられた軸４１ａがひじ掛け部材３８に差し込まれると共に、当該軸１１ａを中心に背凭れ部材４１が揺動するように設けられている。背凭れ部材４１はつなぎ部材４０に当接するまで図中右方向に揺動可能であり、左方向には、第二背凭れ部材４２に当接するまで揺動可能である。
【００５０】
第二背凭れ部材４２は、略コ字状のフレーム４２ａに伸縮性を備えた布体である伸縮性のある弾性材４２ｂを張設したもので、ひじ掛け部材３８,３８に固定支持されている。
【００５１】
図１１は請求項６記載の考案における間隙手段の概略構成図である。略コ字状のハンドル杆４３は、中央が湾曲し両端が平板状の取り付け金具４４により、背凭れ部材４１に対して回動自在に取り付けられている。尚、取り付け金具４４はねじ４５により背凭れ部材４１に固定されるものである。
【００５２】
ハンドル杆４３にはその両端辺に一対の係止凸部４３ａ，４３ａが設けられており、この係止凸部４３ａがひじ掛け部材３８，３８の側辺に設けられた突起部３８ａ，３８ａに係脱されることで、背凭れ部材４１と第二背凭れ部材４２との距離の調整が可能となる。
【００５３】
すなわち、図９に示すように背凭れ部材４１を図中反時計回り方向に揺動させ、ハンドル杆４３を反時計方向に回動させれば係止凸部４３ａが突起部３８ａに係止され、つまりは背凭れ部材４１と第二背凭れ部材４２との間隙が小さくなる。かかる状態ではシート型マッサージ機１のもみ玉１ａが、弾性材４２ｂに当接し、つまりはマッサージを受けることが可能な状態になる。かかる状態から、ハンドル杆４３を時計方向に回動させれば、係止凸部４３ａの突起部３８ａに対する係止状態が解放され、図１０に示すように背凭れ部材４１は時計回り方向に揺動する。かかる状態では、背凭れ部材４１と第二背凭れ部材４２との間隙が大きくなり、シート型マッサージ機１の突出したもみ玉１ａが、弾性材３８ａに当接せず、つまりは椅子としての快適な利用が可能となるのである。なお、突起部３８ａは、ねじ４６によりひじ掛け部材３８に固定されるものである。
【符号の説明】
【００５４】
１・・シート型マッサージ機
１０・・座部
１１・・背凭れ部材
１１ａ・・軸
１２・・ひじ掛け部
１３・・第二背凭れ部材
１３a・・フレーム
１３ｂ・・弾性材
１４・・つなぎ部材
１５・・つなぎ部材
１６・・受け部材
１６ａ・・鍔部
１６ｂ・・孔
１７・・ボルト
１８・・ナット
１９・・座部
２０・・棒体
２１・・軸
２２・・切欠き
２３・・突起
２４・・枠杆
２５・・ひじ掛け部材
２６・・連結杆
２７・・第二背凭れ部材
２８・・背凭れ部材
２９・・フレーム
２９ａ・・孔部
３０・・弾性材
３１・・軸
３２・・突起辺
３３・・軸
３４・・ダンパー
３５・・座板
３６・・座部
３７・・座板
３８・・ひじ掛け部材
３９・・つなぎ部材
４０・・つなぎ部材
４１・・背凭れ部材
４２・・第二背凭れ部材
４３・・ハンドル杆
４３ａ・・係止凸部
４４・・取り付け金具
４５・・ねじ
【図１】
0003214123.tif 000003
【図２】
0003214123.tif 000004
【図３】
0003214123.tif 000005
【図４】
0003214123.tif 000006
【図５】
0003214123.tif 000007
【図６】
0003214123.tif 000008
【図７】
0003214123.tif 000009
【図８】
0003214123.tif 000010
【図９】
0003214123.tif 000011
【図１０】
0003214123.tif 000012
【図１１】
0003214123.tif 000013